(57)【要約】【課題】気密性に優れ、中蓋のがたつきをなくすことができる気密容器を提供する。【解決手段】上面に化粧具収容凹部１ａが形成された容器本体１と、上面に化粧料収容凹部２ａが形成され上記容器本体１とのヒンジ連結により上記容器本体１の化粧具収容凹部１ａの上面開口を開閉自在に蓋するカップ状の中蓋２と、上記中蓋２の化粧料収容凹部２ａの上面開口および容器本体１の化粧具収容凹部１ａの上面開口を中蓋２の周側壁１５の突条とそれ自身の周側壁１９のねじ溝との螺合時の締付力で気密状に蓋する外蓋３とを備えている。そして、上記中蓋２の周側壁１５の一部に切欠き凹部１６を形成し、上記切欠き凹部１６に対応する上記容器本体１の上面の部分に、上記切欠き凹部１６に納まる起立片１２を突設し、上記外蓋３の周側壁１９の内周面に対応する上記容器本体１の起立片１２の外周面の部分に、上記ねじ溝に螺合しうる突条１２ａを形成している。【選択図】図３
2006081750.tif 000002
【特許請求の範囲】
【請求項１】
上面に凹部が形成された容器本体と、上面に凹部が形成され上記容器本体とのヒンジ連結により上記容器本体の上面凹部開口を開閉自在に蓋するカップ状の中蓋と、上記中蓋の上面凹部開口および容器本体の上面凹部開口を中蓋の周側壁の外周ねじとそれ自身の周側壁の内周ねじとの螺合時の締付力で気密状に蓋する蓋体とを備え、上記中蓋の周側壁の一部に切欠き部を形成し、上記切欠き部に対応する上記容器本体の上面の部分に、上記切欠き部に納まる起立片を突設し、上記蓋体の周側壁の内周面に対応する上記容器本体の起立片の外周面の部分に、上記内周ねじに螺合しうる外周ねじを形成したことを特徴とする気密容器。
【請求項２】
開蓋操作の際に上記蓋体が所望の角度で止まるように構成されている請求項１記載の気密容器。
【請求項３】
上記容器本体の上面に形成された凹部が化粧具収容凹部で、上記蓋体の上面に形成された凹部が化粧料収容凹部である請求項１または２記載の気密容器。
【発明の詳細な説明】
【技術分野】
【０００１】
本発明は、揮発性の高い化粧料等の内容物を収容するのに適した気密容器に関するものである。
【背景技術】
【０００２】
従来から、揮発性成分を含有する化粧料等を収容する化粧料容器等の気密容器として、その内部の気密性を保つために、各種の気密容器が提案されているが、このようなものとして、例えば、図３２に示す気密容器がある。この気密容器は、中央部に収納部４１ａが形成された容器本体４１と、上記収納部４１ａ内に収納され内部に化粧料４２ａが充填された中皿４２と、上記容器本体４１にヒンジ４４を介して連結され上記容器本体４１の収納部４１ａを開閉自在に蓋する中蓋４３と、この中蓋４３上に載置されるパフ４５と、これら中蓋４３，パフ４５を包囲した状態で上記容器本体４１の外周に螺合される外蓋４６とを備えており、上記中蓋４３の裏面に、閉蓋時に上記容器本体４１の（収納部４１ａを形成する）環状壁４１ｂの上面に当接するパッキン４７が固定されている。
【０００３】
上記容器本体４１の外周には、上下方向に一直線状に延びる１本の溝部４８が形成されており、この溝部４８の下端部に蝶番ピン４９が左右方向に架設されている。また、上記中蓋４３の周縁部から、上記溝部４８に挿入される１本の延長片５０が垂下しており、この延長片５０の先端部に、上記蝶番ピン４９に回動自在に取り付けられる回動部５１が形成されている。そして、これら蝶番ピン４９と回動部５１とで上記ヒンジ４４が構成されており、上記回動部５１に、ヒンジ位置可動機構として、蝶番ピン４９に対して上下方向にスライドしうるスライド部５１ａが形成されている（図３３参照）。また、上記外蓋４６の周壁の上端部内周に凸部４６ａが形成されており、閉蓋時に、上記中蓋４３の周縁部上面に形成された環状座４３ａの上面に当接するようにしている。
【０００４】
そして、上記容器本体４１の収納部４１ａを中蓋４３で蓋した状態で上記容器本体４１の外周に外蓋４６を螺合させて閉蓋する場合には、外蓋４６をある程度ねじ込むと、上記外蓋４６の凸部４６ａが中蓋４３の環状座４３ａの上面に当接してパッキン４７が容器本体４１の環状壁４１ｂの上面に軽く圧接し、さらに上記外蓋４６をねじ込むと、回動部５１のスライド部５１ａにより中蓋４３が延長片５０とともに押し下げられ、これにより、パッキン４７が容器本体４１の環状壁４１ｂの上面に当接して密着性が向上し、気密性が高まるようにしている（例えば、特許文献１参照）。
【特許文献１】特開２００１−２５８６３６号公報
【発明の開示】
【発明が解決しようとする課題】
【０００５】
しかしながら、上記の気密容器では、外蓋４６の螺合前に、中蓋４３を下方に回動させて容器本体４１の収納部４１ａを蓋すると、回動部５１にヒンジ位置可動機構を設けているため、図３３に示すように、中蓋４３の延長片５０が少し上側に位置し、中蓋４３が傾斜姿勢（上記延長片５０の近傍部分が上側で、上記延長片５０の反対側部分が下側となる傾斜姿勢）になって容器本体４１の環状壁４１ｂ上に載置される。このような状態で外蓋４６をねじ込むと、中蓋４３が傾斜姿勢になったままで閉蓋されることがあり、傾斜姿勢の中蓋４３と容器本体４１の環状壁４１ｂとの間に隙間が生じ、気密性が低下する。しかも、上記回動部５１にヒンジ位置可動機構を設けているため、開蓋状態での化粧中等に中蓋４３ががたつきやすく、このがたつきにより蝶番ピン４９，回動部５１等が早期に損傷等する。
【０００６】
本発明は、このような事情に鑑みなされたもので、気密性に優れ、しかも中蓋のがたつきをなくすことができる気密容器の提供をその目的とする。
【課題を解決するための手段】
【０００７】
上記の目的を達成するため、本発明の気密容器は、上面に凹部が形成された容器本体と、上面に凹部が形成され上記容器本体とのヒンジ連結により上記容器本体の上面凹部開口を開閉自在に蓋するカップ状の中蓋と、上記中蓋の上面凹部開口および容器本体の上面凹部開口を中蓋の周側壁の外周ねじとそれ自身の周側壁の内周ねじとの螺合時の締付力で気密状に蓋する蓋体とを備え、上記中蓋の周側壁の一部に切欠き部を形成し、上記切欠き部に対応する上記容器本体の上面の部分に、上記切欠き部に納まる起立片を突設し、上記蓋体の周側壁の内周面に対応する上記容器本体の起立片の外周面の部分に、上記内周ねじに螺合しうる外周ねじを形成したという構成をとる。
【発明の効果】
【０００８】
すなわち、本発明の気密容器は、上面に凹部が形成された容器本体と、上面に凹部が形成され上記容器本体とのヒンジ連結により上記容器本体の上面凹部開口を開閉自在に蓋するカップ状の中蓋と、上記中蓋の上面凹部開口および容器本体の上面凹部開口を中蓋の周側壁の外周ねじとそれ自身の周側壁の内周ねじとの螺合時の締付力で気密状に蓋する蓋体とを備えている。そして、上記中蓋の周側壁の一部に切欠き部を形成し、上記切欠き部に対応する上記容器本体の上面の部分に、上記切欠き部に納まる起立片を突設し、上記蓋体の周側壁の内周面に対応する上記容器本体の起立片の外周面の部分に、上記内周ねじに螺合しうる外周ねじを形成している。したがって、本発明の気密容器では、上記容器本体の上面凹部開口を中蓋で蓋するとともに、この中蓋の上面凹部開口を蓋体で蓋し、その状態で、蓋体の周側壁の内周ねじと両外周ねじ（すなわち、中蓋の周側壁の外周ねじと容器本体の起立片の外周ねじ）とを螺合させると、この螺合時の強い締付力で、例えば、上記中蓋の上面と蓋体の天井壁の下面とを直接に（もしくは弾性板等を介して）押圧状に密着させて、上記中蓋の上面凹部開口を気密状に蓋することができる。しかも、上記螺合時の強い締付力で、例えば、中蓋を容器本体側に少し移動させて、上記容器本体の上面に中蓋の周側壁の底面を直接に（もしくは弾性板等を介して）押圧状に密着させるとともに、上記容器本体の起立片を中蓋の周側壁の切欠き部に直接に（もしくは弾性板等を介して）押圧状に密着させて、上記容器本体の上面凹部開口をも気密状に蓋することができ、優れた気密性を有する。しかも、中蓋の周側壁および容器本体の起立片に外周ねじ部を形成しているため、中蓋をその周囲から均等に押さえることができ、中蓋が傾斜姿勢になることがない。しかも、容器本体と中蓋とをヒンジ連結する連結部分に、従来例のようなヒンジ位置可動機構を設ける必要がないため、上記連結部分のがたつきをなくすことができ、上記連結部分が長期間にわたって損傷等することがない。
【０００９】
また、開蓋操作の際に上記蓋体が所望の角度で止まるように構成されていると、開蓋操作を止めるだけで上記蓋体を所望の角度に停止させることができ、使い勝手がよい。
【００１０】
また、上記容器本体の上面に形成された凹部が化粧具収容凹部で、上記蓋体の上面に形成された凹部が化粧料収容凹部であると、化粧具と化粧料との双方を気密状に収容することができる。
【発明を実施するための最良の形態】
【００１１】
つぎに、本発明の実施の形態を図面にもとづいて詳しく説明する。
【００１２】
図１〜図３は本発明の気密容器の一実施の形態を示している。これらの図において、１は上面に化粧具収容凹部１ａが形成された合成樹脂製の容器本体で、２はこの容器本体１の化粧具収容凹部１ａを開閉自在に蓋し上面に化粧料収容凹部２ａが形成された合成樹脂製の中蓋で、３はこの中蓋２の化粧料収容凹部２ａを蓋する合成樹脂製の外蓋（蓋体）であり、上記化粧具収容凹部１ａにパフ等の化粧具４が載置され、上記化粧料収容凹部２ａに揮発性化粧料５が充填されている。
【００１３】
上記容器本体１は、図４〜図９に示すように、略円形のカップ状体に形成されており、そのカップ状体の周側壁１１の上端面前半部分に、その内周縁に沿って略１／６円弧状に形成された左右一対の起立片１２が、これら両起立片１２の前端部同士間に所定の隙間をあけた状態で、かつ相対向する状態で立設されている。これら両起立片１２には、その外周面に、後述する外蓋３のねじ溝（内周ねじ）３ａに螺合する１条の突条（外周ねじ）１２ａが突設されている。また、上記周側壁１１の後側中央部分には、後述する中蓋２のヒンジ連結部１７を回動自在に挿入する凹部１３が形成されており、この凹部１３の左右両側部に左右一対の貫通孔１３ａが相対向するようにして穿設されている。そして、これら両貫通孔１３ａに、上記ヒンジ連結部１７を回動自在に支受する軸体６（図２参照）が挿入，固定されている。図８において、１３ｂは上記容器本体１の凹部１３の底面後側部分に形成された下向き傾斜面である。
【００１４】
上記中蓋２は、図１０〜図１３に示すように、略円形のカップ状体に形成されており、そのカップ状体の周側壁１５の外周部前半部分（上記容器本体１の両起立片１２に対応する部分）に、その外周部に沿って略１／６円弧状に形成された左右一対の切欠き凹部（切欠き部）１６が、その下端面が上記周側壁１５の外周部下端面に開放された状態で、かつ上記両起立片１２が密着状に納まる形状に形成されている。また、上記周側壁１５の外周面の後側部分には、上記外蓋３のねじ溝３ａに螺合する１条の突条（外周ねじ）１５ａが、上記両起立片１２の突条１２ａと略同じ長さに形成されている。また、上記周側壁１５の下面の後側中央部分から、上記容器本体１の凹部１３に回動自在に挿入するヒンジ連結部１７が垂下しており、このヒンジ連結部１７の下端部に穿設された左右貫通孔１７ａに上記容器本体１の軸体６が回動自在に挿通されている。このようなヒンジ連結部１７は、開蓋時に所望の角度で開蓋を止めると（どの開蓋角度で止めても）、その開蓋角度でヒンジ連結部１７の姿勢（すなわち、中蓋２の開蓋姿勢）を保持することができる構造（すなわち、フリーストップ構造）になっている。このような構造としては、上記容器本体１の軸体６とヒンジ連結部１７の左右貫通孔１７ａとの嵌め合いを適宜設定し、上記容器本体１の軸体６に対する中蓋２の回動に所定の抵抗を持たせ、任意の位置で止めることができる手段等、各種の手段が用いられる。
【００１５】
上記外蓋３は、図１４および図１５に示すように、有天円筒状に形成されており、その周側壁１９の内周面に、上記両突条１２ａ，１５ａに螺合するねじ溝３ａが形成されている。また、上記外蓋３の天井壁３ｂには、その下面に、平板状に形成されたゴム製パッキン等の気密用弾性板２０が配設されている。
【００１６】
上記の構成において、開蓋状態（図１６参照）から閉蓋する場合には、まず、中蓋２を下方に回動させ、容器本体１の周側壁１１の上面上に中蓋２の周側壁１５の底面を載置する。この状態では、容器本体１の両起立片１２が中蓋２の両切欠き凹部１６内に挿入されている。つぎに、容器本体１を一方の手指で持ち、外蓋３を他方の手指で持ち、この外蓋３で中蓋２の上面を覆いながら、外蓋３のねじ溝３ａを容器本体１および中蓋２の突条１２ａ，１５ａに螺合させ、外蓋３をねじ込むことを行う。この螺合時の締付力により、外蓋３の気密用弾性板２０の下面外周部が中蓋２の周側壁１５の上端面に押圧状に当接し、中蓋２の化粧料収容凹部２ａが気密状に保持されている。また、中蓋２が容器本体１側に押圧されて、容器本体１の周側壁１１の上面上に中蓋２の周側壁１５の底面が押圧状に当接するとともに、容器本体１の両起立片１２のコ字状の外周面（すなわち、左右両側面および上側面）が中蓋２の切欠き凹部１６のコ字状の内周面（すなわち、左右両側面および上側面）に押圧状に当接し、容器本体１の化粧具収容凹部１ａが気密状に保持されている。
【００１７】
このように、上記実施の形態では、外蓋３の螺合時の締付力により、容器本体１の化粧具収容凹部１ａおよび中蓋２の化粧料収容凹部２ａがそれぞれ気密状に保持されており、優れた気密性を有している。しかも、容器本体１の両起立片１２と中蓋２の周側壁１５とに突条１２ａ，１５ａを形成し、これら突条１２ａ，１５ａを利用し、上記締付力により中蓋２を周囲から（前側の左右両側部分と後側の中央部分から）均等に押さえることができ、閉蓋時に中蓋２が傾斜姿勢になることがない。しかも、ヒンジ連結部１７にがたつきを設ける必要がなく、ヒンジ連結部１７が長期間にわたって損傷等することがない。
【００１８】
図１７は本発明の気密容器の他の実施の形態を示している。この実施の形態では、上記容器本体１の周側壁１１の前端部分（略１／６円弧状の部分）が切欠かれており、この切欠き部２２（図１８および図１９参照）に対応する上記中蓋２の前端部分（略１／６円弧状の部分）から、その外周縁に沿って、上記切欠き部２２に着脱自在に係合する係合片２３が垂下している（図２０〜図２２参照）。それ以外の部分は上記実施の形態と同様であり、同様の部分には同じ符号を付している。この実施の形態でも、上記実施の形態と同様の作用・効果を奏する。
【００１９】
図２３は本発明の気密容器のさらに他の実施の形態を示している。この実施の形態では、上記容器本体１には、図２４〜図２７に示すように、その周側壁１１の上端面前半部分に、その内周縁に沿って略１／２円弧状に形成された起立片１２が立設されており、この起立片１２の外周面中央部分に、外蓋３のねじ溝（内周ねじ）３ａに螺合する１条の突条（外周ねじ）１２ａが形成されている。また、上記周側壁１１の後側中央部分には、棒状支受部２５が立設されており、その上端部に左右貫通孔２５ａが穿設されている。
【００２０】
上記中蓋２には、図２８〜図３１に示すように、その化粧料収容凹部２ａの上面開口部の外周面から円環状の上壁２６が突設されており、この上壁２６の後側中央部分に、上記棒状支受部２５の上端部に回動自在に係合しうる切欠き部２７が形成されている。この切欠き部２７には、その左右両側部分に左右一対の貫通孔２７ａが相対向するようにして穿設されており、これら両貫通孔２７ａに、上記棒状支受部２５の左右貫通孔２５ａに回動自在に挿通される軸体（図示せず）が挿入，固定されている。また、上記上壁２６の外周縁部の後半部分から、その外周縁に沿って略１／４円弧状に形成された左右一対の外壁２８が、上記切欠き部２７を挟むようにして垂下しており、これら両外壁２８の外周面に、外蓋３のねじ溝３ａに螺合する１条の突条（外周ねじ）２８ａが、上記容器本体１の突条１２ａと略同じ長さで形成されている。一方、上記上壁２６の外周縁部の前半部分は、その下部が開放されており（すなわち、上記上壁２６の外周縁部から垂下する周側壁のうちの前半部分が切欠き形成されており）、この切欠き形成部２９（の上壁２６の外周縁部の前半部分の下側面および両外壁２８の前側面）に閉蓋時に上記容器本体１の起立片１２のコ字状の外周面（すなわち、左右両側面および上側面）が密着しうるようにしている。それ以外の部分は上記両実施の形態と同様であり、同様の部分には同じ符号を付している。この実施の形態でも、上記両実施の形態と同様の作用・効果を奏する。しかも、上記棒状支受部２５が外蓋３の内部に形成されているため、気密性がさらに向上する。
【００２１】
なお、上記各実施の形態では、容器本体１にパフ等の化粧具４を収容し、中蓋２に揮発性化粧料５を充填しているが、これに限定するものではなく、容器本体１に揮発性化粧料５を充填し、中蓋２にパフ等の化粧具４を収容してもよい。
【図面の簡単な説明】
【００２２】
【図１】本発明の気密容器の一実施の形態を示す斜視図である。
【図２】上記気密容器の断面図である。
【図３】上記気密容器の分解斜視図である。
【図４】容器本体の斜視図である。
【図５】上記容器本体の平面図である。
【図６】上記容器本体の側面図である。
【図７】上記容器本体の背面図である。
【図８】上記容器本体の断面図である。
【図９】上記容器本体の要部の断面図である。
【図１０】中蓋の斜視図である。
【図１１】上記中蓋の底面図である。
【図１２】上記中蓋の側面図である。
【図１３】上記中蓋の断面図である。
【図１４】外蓋の底面図である。
【図１５】上記外蓋の断面図である。
【図１６】開蓋状態を示す斜視図である。
【図１７】本発明の気密容器の他の実施の形態を示す分解斜視図である。
【図１８】容器本体の平面図である。
【図１９】上記容器本体の断面図である。
【図２０】中蓋の底面図である。
【図２１】上記中蓋の側面図である。
【図２２】上記中蓋の断面図である。
【図２３】本発明の気密容器のさらに他の実施の形態を示す分解斜視図である。
【図２４】容器本体の斜視図である。
【図２５】上記容器本体の平面図である。
【図２６】上記容器本体の側面図である。
【図２７】上記容器本体の断面図である。
【図２８】中蓋の斜視図である。
【図２９】上記中蓋の底面図である。
【図３０】上記中蓋の側面図である。
【図３１】上記中蓋の断面図である。
【図３２】従来例を示す断面図である。
【図３３】従来例の要部の断面図である。
【符号の説明】
【００２３】
１  容器本体
１ａ  化粧具収容凹部
２  中蓋
２ａ  化粧料収容凹部
３  外蓋
１２  起立片
１２ａ  突条
１５  周側壁
１６  切欠き凹部
１９  周側壁
【図１】
2006081750.tif 000003
【図２】
2006081750.tif 000004
【図３】
2006081750.tif 000005
【図４】
2006081750.tif 000006
【図５】
2006081750.tif 000007
【図６】
2006081750.tif 000008
【図７】
2006081750.tif 000009
【図８】
2006081750.tif 000010
【図９】
2006081750.tif 000011
【図１０】
2006081750.tif 000012
【図１１】
2006081750.tif 000013
【図１２】
2006081750.tif 000014
【図１３】
2006081750.tif 000015
【図１４】
2006081750.tif 000016
【図１５】
2006081750.tif 000017
【図１６】
2006081750.tif 000018
【図１７】
2006081750.tif 000019
【図１８】
2006081750.tif 000020
【図１９】
2006081750.tif 000021
【図２０】
2006081750.tif 000022
【図２１】
2006081750.tif 000023
【図２２】
2006081750.tif 000024
【図２３】
2006081750.tif 000025
【図２４】
2006081750.tif 000026
【図２５】
2006081750.tif 000027
【図２６】
2006081750.tif 000028
【図２７】
2006081750.tif 000029
【図２８】
2006081750.tif 000030
【図２９】
2006081750.tif 000031
【図３０】
2006081750.tif 000032
【図３１】
2006081750.tif 000033
【図３２】
2006081750.tif 000034
【図３３】
2006081750.tif 000035